(57)【要約】【課題】開口部を塞ぐカバー部材のためにインターフェースコネクタの接続やメモリカードを挿入する際の作業性が悪い。【解決手段】下部筐体２ｂの開口部７を覆うと共に、下部筐体２ｂに着脱可能に設けられたカバー本体８ａと、カバー本体８ａの一端側からカバー本体８ａの外面側の方向に可撓性を有して延びる舌片部８ｃとを有するカバー部材８と、開口部７に隣設して設けられ、舌片部８ｃを収納可能な収納隙間部９とを備え、前記舌片部８ｃには、その先端側をさらにカバー本体８ａの外面側に向けて屈曲させる屈曲部８ｇを設け、収納隙間部９には、舌片部８ｃが収納隙間部９に沿って開口部側へ引き出されると屈曲部８ｇが乗り越える突部１１ｅ１を備えると共に、開口部７内には突部１１ｅ１に隣接して設けられ、屈曲部８ｇを収容する凹部１２とを備え、凹部１２内に屈曲部８ｇが収容されたとき、カバー本体８ａが開口部７から離間して開いた状態が保たれるようにする。【選択図】図４
2008085072.tif 000002
【特許請求の範囲】
【請求項１】
開口部を有するケース体と、
前記開口部を覆うと共に前記ケース体に着脱可能に設けられたカバー本体と、該カバー本体の一端側から前記カバー本体の外面側の方向に可撓性を有して延びる舌片部とを有するカバー部材と、
前記ケース体の開口部に隣設して設けられ、前記舌片部を収納可能な収納隙間部と、を備え、
前記舌片部は、その先端側をさらに前記カバー本体の外面側に向けて屈曲させる屈曲部を具備し、前記収納隙間部には、前記舌片部が前記収納隙間部に沿って前記開口部側へ引き出される方向に前記カバー本体を移動させたときに前記屈曲部が乗り越える突部を備えると共に、前記開口部内には前記突部に隣接して設けられ、前記屈曲部を収容する凹部とを備え、該凹部内に前記屈曲部が収容されたとき、前記カバー本体が前記開口部から離間して開いた状態が保たれるように構成してあることを特徴とするカバー部材を有するケース体。
【請求項２】
請求項１に記載のカバー部材を有するケース体であって、
前記屈曲部の少なくとも前記カバー本体の内面側は曲面状に形成されていることを特徴とするカバー部材を有するケース体。
【請求項３】
請求項１に記載のカバー部材を有するケース体であって、
前記屈曲部は前記カバー本体の内面側に突出して湾曲していることを特徴とするカバー部材を有するケース体。
【請求項４】
請求項１乃至請求項３のいずれか一項に記載のカバー部材を有するケース体であって、
前記舌片部は、その先端に鉤状突片部を備え、
前記屈曲部が前記凹部内に収容された状態からさらに前記舌片部が前記収納隙間部に沿って前記開口部側へ引き出される方向に前記カバー本体を移動させると、前記鉤状突片部が前記突部と当接して移動が規制されるように構成してあることを特徴とするカバー部材を有するケース体。
【請求項５】
請求項１乃至請求項４のいずれか一項に記載のカバー部材を有するケース体内に、ケーブル接続部又はカード挿入部を備え、前記ケーブル接続部のケーブル接続面又は前記カード挿入部のカード挿入口が前記開口部に配されるように構成してあることを特徴とする携帯電子機器。
【発明の詳細な説明】
【技術分野】
【０００１】
本発明は、カバー部材を有するケース体及びこれを用いた、携帯電話機、デジタルカメラ、ＰＤＡ（Personal Digital Assistants）、携帯型パーソナルコンピュータ等の携帯電子機器に関する。
【背景技術】
【０００２】
近年、携帯電話機、デジタルカメラ、ＰＤＡ（Personal Digital Assistant）、ノート型パーソナルコンピュータといった携帯電子機器が急速に普及してきているが、斯かる携帯電子機器においては、インターフェースコネクタを接続したり、或いは画像データや音楽データ等を記憶させたメモリーカードのようなメモリカードを装着したりするための細長い開口部が形成されており、該開口部は、開閉自在なカバーで覆われるのが一般的である。
【０００３】
例えば、特許文献１には、折畳式の携帯電話機等の携帯電子機器の一例が開示されており、この折畳式の携帯電子機器は、携帯電子機器本体を形成する筐体を第一の筐体としての上部筐体と第二の筐体としての下部筐体とに分割し、それらをヒンジモジュールを介して開閉可能となるよう互いに回動自在に連結してなる構成を有している。
【０００４】
前記上部筐体には、液晶ディスプレイ（ＬＣＤ：Liquid Crystal Display）等の表示器が設けられる一方、前記下部筐体には、多数のキーが配置され且つバッテリーが内蔵されると共に、インターフェースコネクタ或いはメモリカードが抜き差しされる細長い開口部と、該インターフェースコネクタ或いはメモリカードの開口部を開閉自在に覆うためのカバー部材とが設けられている。
【０００５】
前記カバー部材は、携帯電子機器本体に開口された差込口部を覆うカバー本体に、その一端側から可撓性を有するよう一体に延び且つ先端部に鉤状突片部が形成されたヒンジ部を設けると共に、該ヒンジ部と反対側のカバー本体他端部に、携帯電子機器本体に対して係合・離脱可能な爪部を設け、前記携帯電子機器本体における差込口の一端側に隣接して延びるようヒンジ収納隙間部を形成し、該ヒンジ収納隙間部における差込口側端部に、前記鉤状突片部を係止するヒンジ部抜け止め用のリブを配置し、前記ヒンジ収納隙間部にヒンジ部を挿入し、前記差込口をカバー本体で覆い且つ爪部を携帯電子機器本体の爪受け凹部に対して係合させ前記差込口を閉じる一方、前記爪部を携帯電子機器本体の爪受け凹部から離脱させ、カバー本体をヒンジ部が引き出される方向にスライドさせつつ、該ヒンジ部を撓ませるようにカバー本体を開口部から離反させることにより、差込口を開くよう構成されている。
【特許文献１】特開２００６−６７１８２号公報
【発明の開示】
【発明が解決しようとする課題】
【０００６】
ところで、特許文献１の携帯電子機器では、ケーブル等のインターフェースコネクタやメモリカードを挿入する際には、カバー部材のカバー本体が携帯電子機器の差込口を塞がないように押さえておく必要があり、作業性が悪いといった課題があった。即ち、カバー部材のヒンジ部はカバー本体の端部から略真っ直ぐに延びているため、カバー本体を差込口から引き出してもその復元力により携帯電子機器本体に張り付くように配されるため、差込口内のケーブル接続部にインターフェースコネクタを接続したり、あるいは差込口内のカード挿入部にメモリカードを挿入するためにはカバー本体をわざわざ差込口から引き離さなければならなかった。
【０００７】
また、カバー本体が差込口より引き出されたとしてもヒンジ部はヒンジ収納隙間部内で保持されていないため、ヒンジ部はヒンジ収納隙間部内へ簡単に移動してカバー本体が差込口を塞ぐことになるため、この点においてもインターフェースコネクタの接続やメモリカードを挿入する際の作業性が悪いといった課題があった。
【課題を解決するための手段】
【０００８】
本発明のカバー部材を有するケース体は、開口部を有するケース体と、前記開口部を覆うと共に前記ケース体に着脱可能に設けられたカバー本体と、該カバー本体の一端側から前記カバー本体の外面側の方向に可撓性を有して延びる舌片部とを有するカバー部材と、前記ケース体の開口部に隣設して設けられ、前記舌片部を収納可能な収納隙間部とを備え、前記舌片部は、その先端側をさらに前記カバー本体の外面側に向けて屈曲させる屈曲部を具備し、前記収納隙間部には、前記舌片部が前記収納隙間部に沿って前記開口部側へ引き出される方向に前記カバー本体を移動させたときに前記屈曲部が乗り越える突部を備えると共に、前記開口部内には前記突部に隣接して設けられ、前記屈曲部を収容する凹部とを備え、該凹部内に前記屈曲部が収容されたとき、前記カバー本体が前記開口部から離間して開いた状態が保たれるように構成してあることを特徴とする。
【０００９】
好ましくは前記屈曲部の少なくとも前記カバー本体の内面側は曲面状に形成することが良く、さらに前記屈曲部は前記カバー本体の内面側に突出して湾曲させることが良い。
【００１０】
また、好ましくは前記舌片部の先端に鉤状突片部を設け、前記屈曲部が前記凹部内に収容された状態からさらに前記舌片部が前記収納隙間部に沿って前記開口部側へ引き出される方向に前記カバー本体を移動させると、前記鉤状突片部が前記突部と当接して移動を規制するように構成することが良い。
【００１１】
さらに、これらのカバー部材を有するケース体内に、ケーブル接続部又はカード挿入部を設け、前記ケーブル接続部のケーブル接続面又は前記カード挿入部のカード挿入口が前記開口部に配されるようにして携帯電子機器を構成することが好ましい。
【発明の効果】
【００１２】
本発明によれば、カバー本体を開口部から引き出すと、舌片部の屈曲部がケース体内の突部を乗り越えて凹部に収納されるため、舌片部の移動が規制される。その為、カバー部材をケース体に対して所定の状態に位置決めできる。また、カバー本体と舌片部とは所定の角度で屈曲させてあるため、その弾性復元力により舌片部の屈曲部が凹部内に収容された状態ではカバー本体を開口部から離間させた状態とすることができる。その結果、カバー部材の取り扱いを容易とし、これを携帯電子機器のケーブル接続部やカード挿入部の開口部に用いれば、インターフェースコネクタの接続やカード挿入の作業性を大幅に向上させることができる。
【発明を実施するための最良の形態】
【００１３】
以下、本発明の実施の形態を添付図面を参照して説明する。
【００１４】
図１〜図５は本発明を実施する形態の一例であって、携帯電子機器本体１を形成する筐体２を第一の筐体としての上部筐体２ａと第二の筐体としての下部筐体２ｂとに分割し、それらをヒンジモジュール３を介して開閉可能となるよう互いに回動自在に連結してなる構成を有している折畳式の携帯電子機器である。
【００１５】
本図示例では、携帯電子機器本体１の下部筐体２ｂ（ケース体）を構成して多数のキー５が配置されるキー側ケース２ｂ１と背面側ケース２ｂ２との接合面を、下部筐体２ｂより背面側にずらし、キー側ケース２ｂ１の厚さ方向における奥行きを深くし、該キー側ケース２ｂ１の側面に切欠を設けて開口部７を形成するようにしてあり、該開口部7は下部筐体２ｂに着脱可能に設けられたカバー部材８のカバー本体８ａによって覆われるようになっている。
【００１６】
ここで、下部筐体２ｂに着脱可能に設けられるカバー部材８は、前記開口部７を覆うカバー本体８ａに、図２（ａ）〜（ｄ）、図３及び図４に示す如く、その一端側から可撓性を有するよう舌片部８ｃを延出させ、該舌片部８ｃの先端には、カバー本体８ａの内面側へ舌片部８ｃに対し鋭角（角度α）に傾斜して突出する第一突片部８ｅ１（鉤状突片部）と、該第一突片部８ｅ１の反対側で前記舌片部８ｃに対して鈍角（角度β）に傾斜して突出する第二突片部８ｅ２とを有する突片部８ｅを設けて構成されている。
【００１７】
また、前記第一突片部８ｅ１を係止可能な第一係止部１１ｅ１（突部）と、前記第二突片部８ｅ２を係止可能な第二係止部１１ｅ２とを有する係止部１１ｅを、収納隙間部９における開口部７側の入口部分に設けるようにしてある。
【００１８】
なお、前記カバー部材８のカバー本体８ａには、図２（ａ）〜（ｄ）に示す如く、その外周部複数所要箇所に爪部８ｄを設け、前記携帯電子機器本体１（ケース体）の開口部７における対応箇所に設けられた爪受け凹部（図示せず）に対して前記爪部８ｄを係合・離脱可能となるようにしてある。
【００１９】
前記カバー部材８は、そのカバー本体８ａをＡＢＳ樹脂（アクリロニトリル・ブタジエン・スチレン樹脂）やＰＣ樹脂（ポリカーボネイト樹脂）等の硬質樹脂により形成すると共に、舌片部８ｃと突片部８ｅと爪部８ｄとを弾性を有して可撓性に優れたエラストマー樹脂により形成し、これらの異なる二種類の樹脂材料を二色成形（co-injection molding）によって成形してある。
【００２０】
また、前記カバー部材８の舌片部８ｃは、単に前記カバー本体８ａから真っ直ぐに延ばすのではなく、前記カバー本体８ａの外面側に向けて伸ばし、カバー本体８ａの外面側に反るような形状としてある。さらに、舌片部８ｃの途中にはその先端側をさらにカバー本体８ａの外面側へ向けるように屈曲させる屈曲部８ｇを有し、先端に備える第一突片部８ｅ１がカバー本体８ａと略直角な方向に延びるようにしてある。これにより、前記カバー部材８の成形時の金型ラインを図３に示すＬ−Ｌのラインとして設定し、前記舌片部８ｃに対し鋭角に傾斜して突出する第一突片部８ｅ１の付け根部分がアンダーカットとならずに成形できるようにしてある。更に、前記舌片部８ｃをカバー本体８ａの外面側に反るような形状とすることにより、前記カバー部材８をキー側ケース２ｂ１に嵌め合わせた際に、舌片部８ｃと突片部８ｅとをキー側ケース２ｂ１の内部における外周側に位置させ、舌片部８ｃの収納スペースをコンパクトにできるようにしてある。
【００２１】
一方、前記第一係止部１１ｅ１は、図３の一点鎖線矢印の方向へ挿入される前記舌片部８ｃに対し傾斜するように鋭角（角度γ）に形成し、前記舌片部８ｃに対する前記鉤状突片部８ｅ１の鋭角な傾斜角度（角度α）と、前記舌片部８ｃに対する前記第一係止部１１ｅ１の鋭角な傾斜角度（角度γ）とが略同一となるよう構成してある。
【００２２】
また、前記突片部８ｅは、図４に示す如く、前記舌片部８ｃの厚さ方向における幅ｔを前記収納隙間部９の最小隙間間隔ｃよりも長くなるように形成して、前記収納隙間部９に舌片部８ｃを挿入する際、該舌片部８ｃに対する前記第一突片部８ｅ１の鋭角な傾斜角度が小さくなり且つ前記舌片部８ｃに対する前記第二突片部８ｅ２の鈍角な傾斜角度が大きくなるように構成してある。
【００２３】
さらにまた、前記舌片部８ｃの前記第一突片部８ｅ１が対向する位置には、図３及び図４に示す如く、厚さの薄くなる逃げ部８ｆを形成し、前記収納隙間部９に突片部８ｅと舌片部８ｃとを挿入する際、第一突片部８ｅ１を撓みやすくすると共に該第一突片部８ｅ１を逃げ部８ｆに入り込ませて、舌片部８ｃの厚さ方向における突片部８ｅの幅を狭めることができるようにしてある。
【００２４】
また、前記第一係止部１１ｅ１の開口部７側には、図３及び図４に示す如く、前記突片部８ｅと舌片部８ｃとを挿入しやすくすると共に、舌片部８ｃを収納隙間部９から引き出す際に舌片部８ｃの屈曲部８ｇが収容されるように、第一突片部８ｅ１に隣接して滑らかに凹む形の凹部１２が開口部７内に設けてある。
【００２５】
なお、前記収納隙間部９の最小隙間間隔ｃを有する入口部分の断面形状は、図５に示す如く、背面側へ開放されるＵ字状とし、これにより、前記突片部８ｅの収納隙間部９への挿入時には前記Ｕ字状の部分が下部筐体２ｂの幅方向（図５における左右方向）に弾性変形して、前記最小隙間間隔ｃが広がり、前記突片部８ｅを挿入しやすくなるようにしてある。また、前記背面側ケース２ｂ２には、キー側ケース２ｂ１と接合された際に収納隙間部９側に突出する突出部１３が設けられており、前記舌片部８ｃは、収納隙間部９に位置しているときに、前記突出部１３によって厚さ方向（図５における上方向）への移動が規制されることとなる。
【００２６】
また、舌片部８ｃは略一定の厚み幅を有し、屈曲部８ｇはカバー本体８ａの内面側を向くように突出して湾曲させてある。その為、屈曲部８ｇにおけるカバー本体８ａの内面側は曲面状に形成されている。
【００２７】
次に、上記図示例の作用を説明する。
【００２８】
携帯電子機器１の製造工程において、インターフェースコネクタを使用して各種の検査が行われた後、携帯電子機器本体１の下部筐体２ｂに形成された開口部７に最終工程でカバー部材８を取り付けるような場合には、第一突片部８ｅ１と第二突片部８ｅ２とを有する突片部８ｅが形成された舌片部８ｃを収納隙間部９に挿入するが、前記第一突片部８ｅ１と第二突片部８ｅ２とを有する突片部８ｅが形成された舌片部８ｃの先端形状は、Ｔ字をイ字状に傾斜させた形状となっているため、その挿入方向に対し変形しやすくなる。
【００２９】
しかも、前記突片部８ｅが形成された舌片部８ｃを収納隙間部９に挿入する際には、前記舌片部８ｃに対する前記第一突片部８ｅ１の鋭角な傾斜角度が小さくなり且つ前記舌片部８ｃに対する前記第二突片部８ｅ２の鈍角な傾斜角度が大きくなるように突片部８ｅが撓むと共に、前記第一突片部８ｅ１が撓んで逃げ部８ｆに入り込み、舌片部８ｃの厚さ方向における突片部８ｅの幅ｔを狭めることが可能となり、これに加えて、第一係止部１１ｅ１の開口部７側には、図３及び図４に示す如く、滑らかに凹む形の凹部１２が設けられており、更に、図５に示す如く、断面形状を背面側へ開放されるＵ字状とした前記収納隙間部９の最小隙間間隔ｃを有する入口部分が広がる方向へ弾性変形することから、たとえ、前記突片部８ｅの舌片部８ｃ厚さ方向における幅ｔが前記収納隙間部９の最小隙間間隔ｃより長くても、前記舌片部８ｃを収納隙間部９に挿入することが容易になる。
【００３０】
そして、前記突片部８ｅが形成された舌片部８ｃを収納隙間部９に挿入した後は、第一突片部８ｅ１と第二突片部８ｅ２とが元の形に復帰するが、ここで、前記舌片部８ｃはカバー本体８ａの外面側に反るような形状としてあるため、前記カバー部材８をキー側ケース２ｂ１に嵌め合わせた際には、舌片部８ｃと突片部８ｅとがキー側ケース２ｂ１の内部における外周側に位置し、舌片部８ｃの収納スペースを広げなくて済み、コンパクトにすることが可能となる。
【００３１】
そして、さらに舌片部８ｃが収納隙間部９内に挿入されると、舌片部８ｃの屈曲部８ｇが凹部１２内に収容されて移動が規制される。その為、この状態では舌片部８ｃが収納隙間部９内で位置決めされることになる。
【００３２】
さらに、所定以上の力で舌片部８ｃを収納隙間部９内に押し込むと、舌片部８ｃは可繞性をすることから弾性変形し、第一係止部１１ｅ１を乗り越えて移動することになり、次いで、カバー本体８ａを開口部７に押し込んで、カバー本体８ａの爪部８ｄを下部筐体２ｂの爪受け凹部と係合させることでカバー部材８を下部筐体２ｂに収納して一体化させることができる。
【００３３】
一方、前記カバー本体８ａを舌片部８ｃが前記収納隙間部９に沿って前記開口部７側へ引き出される方向に移動させつつ、該舌片部８ｃを撓ませてカバー本体８ａを前記携帯電子機器本体１の下部筐体２ｂから離反させるようにして前記開口部７を開いた際には、まず、舌片部８ｃの屈曲部８ｇが変形して第一係止部１１ｅ１を乗り越えて凹部１２内に収容される。このとき、屈曲部８ｇは前記カバー本体８ａの内面側に突出して湾曲させ、屈曲部８ｇの少なくともカバー本体８ａの内面は曲面状に形成してあることから、所定以上の力で舌片部８ｃを引っ張ることで第一係止部１１ｅ１を乗り越えることができると共に、クリック感を与えることができる。
【００３４】
そして、舌片部８ｃは凹部１２内に収容されることで、舌片部８ｃはその移動を規制され、収納空間内に位置決めすることができる。即ち、カバー本体８ａは舌片部８ｃに対して屈曲した状態で形成されていることからカバー本体８ａを開口部７から引き出すと、舌片部８ｃの弾性復元力によってカバー本体８ａが開口部７から離間させた開いた状態で位置決めすることができる。その為、使用者はカバー本体８ａを掴み易く、カバー部材８の取り扱いが容易となり、下部筐体２ｂ内にケーブル接続部が配置され、そのケーブル接続面を開口部７に配しているときには、インターフェースコネクタの接続作業性を大幅に高めるこができ、また、下部筐体２ｂ内にカード挿入部が配置され、そのカード挿入口を開口部７に配しているときには、カード挿入の作業性を大幅に向上させることができる。
【００３５】
そして、さらに舌片部８ｃを収納隙間部９から引き出すように移動させると、図４に示す如く、前記第一突片部８ｅ１と第二突片部８ｅ２とが第一係止部１１ｅ１と第二係止部１１ｅ２とにそれぞれ係止される。
【００３６】
この状態から、前記カバー部材８を引き抜く方向に引っ張ると、前記第一突片部８ｅ１が第一係止部１１ｅ１に圧接されつつ、図４中、反時計回り方向の反力を受けると共に、前記第二突片部８ｅ２にも、図４中、反時計回り方向の力が作用し、該第二突片部８ｅ２が第二係止部１１ｅ２に圧接される。
【００３７】
この結果、前記カバー部材８を引き抜く方向に引っ張ったとしても、前記第一突片部８ｅ１と第二突片部８ｅ２とが第一係止部１１ｅ１と第二係止部１１ｅ２とにそれぞれ食いつき、カバー部材８の引き抜きを阻止する方向に強く引っ掛かる形となり、容易には抜けなくなる。
【００３８】
こうして、デザイン上の制約や開口部７の位置の問題等の影響を受けることなく、収納隙間部９に舌片部８ｃを挿入しやすく且つ抜けにくくすることができる。
【００３９】
なお、本発明のカバー部材を有するケース体及び携帯電子機器は、上述の図示例にのみ限定されるものではなく、本発明の要旨を逸脱しない範囲内において種々変更を加え得ることは勿論である。
【００４０】
例えば、第一突片部８ｅ１を係止する第一係止部１１ｅ１は、舌片部８ｃに対して鋭角に傾斜するように形成されると共に、第一突片部８ｅ１の舌片部８ｃに対する鋭角な傾斜角度（角度α）と略同一となる鋭角な傾斜角度（角度γ）に形成される構成としたが、この構成に限定されることなく、該第一係止部１１ｅ１は、カバー部材８を舌片部８ｃが収納隙間部９に沿って開口部７側へ引き出される方向にスライドさせて引き抜く方向に引っ張った場合に、第一突片部８ｅ１を係止するような構成であれば良い。また、第二係止部１１ｅ２も、カバー部材８を引き抜く方向に引っ張った場合に、第二突片部８ｅ２を係止するような構成であれば良い。更に又、例えば、第二係止部１１ｅ２を舌片部８ｃと第二突片部８ｅ２とに沿った形状とするようにしても良い。
【００４１】
また、前記カバー部材８を引き抜く方向に引っ張ると、第一突片部８ｅ１及び第二突片部８ｅ２が第一係止部１１ｅ１及び第二係止部１１ｅ２のそれぞれに同時に係止される構成としたが、第二突片部８ｅ２が第二係止部１１ｅ２に係止される前に、第一突片部８ｅ１が先に第一係止部１１ｅ１に係止され、鉤状突片部８ｅ１が第一係止部１１ｅ１に圧接された状態から更にカバー部材８が引き抜かれて第二突片部８ｅ２に反時計回り方向の力が作用した後に、第二突片部８ｅ２が第二係止部１１ｅ２に圧接されるように構成しても良い。
【図面の簡単な説明】
【００４２】
【図１】本発明を実施する形態の一例における携帯電子機器を示す斜視図である。
【図２】本発明を実施する形態の一例におけるカバー部材の一例を示す図であって、（ａ）はカバー部材の外面側を示す斜視図、（ｂ）はカバー部材の内面側を示す斜視図、（ｃ）はカバー部材の外面側を示す平面図、（ｄ）はカバー部材の内面側を示す平面図である。
【図３】本発明を実施する形態の一例における収納隙間部に舌片部を挿入する前の状態を示すキー側ケースの端面図であって、図１のＩＩＩ−ＩＩＩ矢視相当図である。
【図４】本発明を実施する形態の一例におけるカバー部材が引き出されて第一突片部が係止部に係止された状態を示すキー側ケースの要部拡大端面図である。
【図５】本発明を実施する形態の一例における下部筐体を示す断面図であって、図３のＶ−Ｖ矢視相当図である。
【符号の説明】
【００４３】
１      携帯電子機器本体
２      筐体
２ａ    上部筐体
２ｂ    下部筐体（ケース体）
２ｂ１  キー側ケース
２ｂ２  背面側ケース
７      開口部
８      カバー部材
８ａ    カバー本体
８ｃ    舌片部
８ｄ    爪部
８ｅ    突片部
８ｅ１  第一突片部（鉤状突片部）
８ｅ２  第二突片部
８ｆ    逃げ部
９      収納隙間部
１１ｅ    係止部
１１ｅ１  第一係止部（突部）
１１ｅ２  第二係止部
１２      凹部
ｃ      最小隙間間隔
ｔ      幅
【図１】
2008085072.tif 000003
【図２】
2008085072.tif 000004
【図３】
2008085072.tif 000005
【図４】
2008085072.tif 000006
【図５】
2008085072.tif 000007